(57)【要約】【課題】  枢軸付近における両挟持片間の隙間が小さくなり、枢軸付近を通した毛髪をしっかりと押さえつけ、毛髪がすり抜けることなく、安定した装着状態が得られ、ヘアースタイルが崩れる恐れのない髪止め具を提供すること。【解決手段】  この発明の髪止め具は、一対の挟持片１，２を枢軸３を介して開閉可能に組み合わせ、少なくともいずれかの挟持片１，２の内側に押圧部材４を設け、枢軸３付近における両挟持片１，２間の隙間を小さくするようにしたものとしている。【選択図】  図１
2005348934.tif 000002
【特許請求の範囲】
【請求項１】
一対の挟持片（１）（２）を枢軸（３）を介して開閉可能に組み合わせ、少なくともいずれかの挟持片（１）（２）の内側に押圧部材（４）を設け、枢軸（３）付近における両挟持片（１）（２）間の隙間を小さくするようにしたことを特徴とする髪止め具。
【請求項２】
押圧部材（４）が弾力性を有するものである請求項１記載の髪止め具。
【請求項３】
押圧部材（４）が柔軟性を有しており、曲げることにより一端側（４ａ）を一方の挟持片（１）の内側に取り付け、他端側（４ｂ）を他方の挟持片（２）の内側に取り付けている請求項１又は２記載の髪止め具。
【発明の詳細な説明】
【技術分野】
【０００１】
この発明は、主にヘアーセットや、化粧等をする際に毛髪を挟みつけるために使用される髪止め具に関するものである。
【背景技術】
【０００２】
従来より、特許文献１に記載のような髪止め具が使用されている。この従来の髪止め具は、一対の挟持片が一端側で枢軸を介して枢着されており、枢軸に巻装したバネの力を利用して一対の挟持片で毛髪を挟みつけるようになっている。
【０００３】
しかし、この従来の髪止め具は、使用者の毛髪のボリュームが少ない場合、バネの力が弱い場合、あるいは、枢軸付近において両挟持片間に比較的大きな隙間が生じる場合には、毛髪を十分に押さえつけることができず、毛髪がすり抜けて装着状態が不安定になり、ヘアースタイルが崩れる恐れがあった。
【特許文献１】特開２０００−３３３７２１号公報
【発明の開示】
【発明が解決しようとする課題】
【０００４】
そこで、この発明は、枢軸付近における両挟持片間の隙間が小さくなり、枢軸付近を通した毛髪をしっかりと押さえつけ、毛髪がすり抜けることなく、安定した装着状態が得られ、ヘアースタイルが崩れる恐れのない髪止め具を提供することを課題とする。
【課題を解決するための手段】
【０００５】
この発明の髪止め具は、一対の挟持片１，２を枢軸３を介して開閉可能に組み合わせ、少なくともいずれかの挟持片１，２の内側に押圧部材４を設け、枢軸３付近における両挟持片１，２間の隙間を小さくするようにしたものとしている。
【０００６】
前記押圧部材４は、弾力性を有するものとすることができる。
【０００７】
また、押圧部材４が柔軟性を有しており、曲げることにより一端側４ａを一方の挟持片１の内側に取り付け、他端側４ｂを他方の挟持片２の内側に取り付けているものとすることができる。
【発明の効果】
【０００８】
この発明の髪止め具は、上述のような構成を有しており、押圧部材４によって枢軸３付近における両挟持片１，２間の隙間が小さくなり、枢軸３付近を通した毛髪６をしっかりと押さえつけられるため、毛髪６がすり抜けることなく、安定した装着状態が得られ、ヘアースタイルが崩れるのを防止することができる。
【発明を実施するための最良の形態】
【０００９】
この発明の髪止め具は、一対の挟持片１，２を枢軸３を介して開閉可能に組み合わせ、少なくともいずれかの挟持片１，２の内側に押圧部材４を設け、枢軸３付近における両挟持片１，２間の隙間を小さくするようにしたものである。
【００１０】
以下、この発明の好適な実施形態を、図面を参照して説明する。
【００１１】
図１は、この発明の実施形態の髪止め具で、両挟持片１，２を開いた状態にした場合の斜視図、図２は押圧部材４の正面図、図３は両挟持片１，２の内側における押圧部材４の取り付け状態を示す説明図、図４はこの髪止め具で毛髪６を挟んだ状態を示す説明図である。
【００１２】
図１に示したように、この髪止め具は、一対の挟持片１，２が一端側（図１中右側）で枢軸３を介して枢着されており、枢軸３に巻装したバネ５の力を利用して両挟持片１，２で毛髪６を挟みつけるようになっている。
【００１３】
この髪止め具を使用者の頭部に装着する際、一方の挟持片１は上側に位置し、他方の挟持片２は下側に位置するようにして使用する。両挟持片１，２は、鳥のくちばし様の形状で、上方に膨らむように湾曲しており、一端側から他端側（図１中左側）に向かって徐々に幅が小さくなり、断面は略半円形となっているが、特にこの形状には限定されない。両挟持片１，２は金属製、合成樹脂製等とすることができる。
【００１４】
両挟持片１，２の一端側には、幅方向の両側に対向する挟持片１，２に向かって突出する突出部７，８が形成されており、一方の挟持片１，２の両突出部７,７の内側に他方の挟持片１，２の両突出部８，８が重なる態様で両挟持片１，２が組み合わされ、これらに形成された孔９に枢軸３を取り付けている。この実施形態では、枢軸３はリベットとしている。
【００１５】
この髪止め具は、両挟持片１，２の前記一端側の先端部分を開閉部１０，１１としており、この両開閉部１０，１１を指で上下両方側から押さえることにより、図１に示したような開いた状態にすることができる。
【００１６】
押圧部材４は、弾力性と柔軟性を有し、毛髪６がすべらないように摩擦抵抗が大きいものが望ましく、例えばシリコンゴム製や生ゴム製とすることができる。押圧部材４は、図２に示したように一端側４ａと他端側４ｂがチューブ状となっており、略中央部分４ｃで曲げることにより、一端側４ａを一方の挟持片１の内側に取り付け、他端側４ｂを他方の挟持片２の内側に取り付けられるようにしている。
【００１７】
押圧部材４は、挟持片１，２の枢軸３の他端側（図１中左側）において、その上面の一部が挟持片１，２の内面に接した状態で取り付けられる。押圧部材４の取り付けには、挟持片１，２との接触面に接着剤を使用することにより、押圧部材４を挟持片１，２に固定した状態を維持することができる。なお、押圧部材４が弾力性を有し、自然な状態で挟持片１，２の内面に密着するものであれば、接着剤を使用しなくとも挟持片１，２に固定した状態を維持することができ、しかも着脱自在となる。
【００１８】
押圧部材４は、図３に示したように、その折り曲げた略中央部分４ｃが枢軸３に巻装したバネ５の図中左側に位置し、左側から見て枢軸３とバネ５を覆い隠すようになっているため、使用者の毛髪６が枢軸３やバネ５に絡みつくことが防止される。
【００１９】
この実施形態では押圧部材４は中空のチューブ状としているが、中空でなくてもよく、例えば肉厚のあるスポンジ状のものとすることもできる。
【００２０】
この髪止め具は上記のような構成であるため、図４に示したように、使用者の毛髪６は押圧部材４にしっかりと挟まれ、すり抜けが防止される。したがって、髪止め具は、安定的に毛髪６に装着された状態に維持される。特に、使用者の毛髪６のボリュームが少ない場合にこの効果が顕著に現れる。
【００２１】
なお、この髪止め具は、いずれか片方の挟持片１，２のみに押圧部材４を設けたものとすることができる。図５は、この発明の髪止め具の他の実施形態で、他方の挟持片２（下側）のみの内側に押圧部材４を設けたものの、両挟持片１，２の内側における押圧部材４の取り付け状態を示す図である。図６は、この発明の髪止め具の他の実施形態で、一方の挟持片１（上側）のみの内側に押圧部材４を設けたものの、両挟持片１，２の内側における押圧部材４の取り付け状態を示す図である。
【００２２】
使用者の毛髪６のボリュームが比較的多い場合は、上記のような両挟持片１，２のいずれかのみに押圧部材４を設けた髪止め具を使用することができる。
【００２３】
なお、この発明の髪止め具は、この実施形態に示した形状や素材に限定されることなく、適宜の態様で実施することが可能である。
【産業上の利用可能性】
【００２４】
ヘアーセットや化粧等をする際に利用することが可能である。
【図面の簡単な説明】
【００２５】
【図１】この発明の実施形態の髪止め具で、両挟持片を開いた状態にした場合の斜視図。
【図２】この発明の実施形態の髪止め具の押圧部材の正面図。
【図３】この発明の実施形態の髪止め具の押圧部材の取り付け状態を示す説明図。
【図４】この発明の実施形態の髪止め具で毛髪を挟んだ状態を示す説明図。
【図５】この発明の他の実施形態の髪止め具の押圧部材の取り付け状態を示す説明図。
【図６】この発明のさらに他の実施形態の髪止め具の押圧部材の取り付け状態を示す説明図。
【符号の説明】
【００２６】
１，２  挟持片
３  枢軸
４  押圧部材
【図１】
2005348934.tif 000003
【図２】
2005348934.tif 000004
【図３】
2005348934.tif 000005
【図４】
2005348934.tif 000006
【図５】
2005348934.tif 000007
【図６】
2005348934.tif 000008